(57)【要約】【課題】  換気機能を損なうことなく車両後部の車室内のスペースを広げることが可能な自動車のリヤパーセル構造を提供する。【解決手段】  リヤシート１後方のリヤパーセルパネル１０の上方にはリヤパーセルトリム１１が配設され、そのリヤパーセルトリム１１に開口形成されたトリム側換気口１１ａから導入された車室内の空気がトランクルーム６に排出される自動車のリヤパーセル構造である。  そして、リヤパーセルパネル１０の下面には換気ダクト１２が接合されて閉断面構造を形成し、この閉断面が前記空気を通過させる換気経路となる。【選択図】  図１
2006256402.tif 000002
【特許請求の範囲】
【請求項１】
リヤシート後方のリヤパーセルパネルの上方にはリヤパーセルトリムが配設され、該リヤパーセルトリムに開口形成された換気部から導入された車室内の空気がトランクルームに排出される自動車のリヤパーセル構造であって、
前記リヤパーセルパネルの下面に接合されることで閉断面構造となる補強部材によって前記空気を通過させる換気経路が形成されていることを特徴とする自動車のリヤパーセル構造。
【請求項２】
前記換気部は前記リヤパーセルパネルの後方に設けられ、前記換気経路は少なくとも１箇所の曲折部が設けられていることを特徴とする請求項１に記載の自動車のリヤパーセル構造。
【請求項３】
前記リヤシートを支持するリヤシートバックパネルの上端部とリヤパーセルパネルの接合部には閉断面構造のパーセルメンバが車幅方向に延設され、該パーセルメンバの内部は、一対のバルクヘッドによって区切られることによって換気連絡路が形成され、該換気連絡路には前記補強部材によって形成された換気経路の端部が接続される取込口とトランクルームに連通する連通口が設けられていることを特徴とする請求項１又は２に記載の自動車のリヤパーセル構造。
【発明の詳細な説明】
【技術分野】
【０００１】
本発明は、自動車の車両後部のリヤパーセルトリムに開口形成された換気部から導入された車室内の空気がトランクルームに排出される構造を有する自動車のリヤパーセル構造に関するものである。
【背景技術】
【０００２】
従来、特許文献１に示されているような自動車の車両後部のリヤパーセル構造が知られている。
【０００３】
このリヤパーセル構造では、リヤシート後方のリヤパーセルパネルの上方にリヤパーセルトリムが取り付けられており、このリヤパーセルトリムとリヤパーセルパネルとの間には空間部が形成されている。
【０００４】
この空間部は、リヤパーセルトリムの後方に設けられた換気口から取り込まれた車室内の空気を通過させる経路となるもので、この経路を流れる空気はリヤパーセルパネルに設けられた排出口からトランクルームに排出される。
【特許文献１】特開平７−１８７０１０号公報
【特許文献２】特開平１０−１２９５２５号公報
【発明の開示】
【発明が解決しようとする課題】
【０００５】
前記した従来のリヤパーセル構造では、リヤパーセルパネルとリヤパーセルトリムとの間に換気経路が設けられているため、経路確保のために嵩上げされたリヤパーセルトリムによって貴重な車室内のスペースが使用されることになる。
【０００６】
そこで、本発明は、換気機能を損なうことなく車両後部の車室内のスペースを広げることが可能な自動車のリヤパーセル構造を提供することを目的としている。
【課題を解決するための手段】
【０００７】
前記目的を達成するために、本発明は、リヤシート後方のリヤパーセルパネルの上方にはリヤパーセルトリムが配設され、そのリヤパーセルトリムに開口形成された換気部から導入された車室内の空気がトランクルームに排出される自動車のリヤパーセル構造である。
【０００８】
そして、前記リヤパーセルパネルの下面には例えば断面コ字型の補強部材が接合されて閉断面構造を形成し、この閉断面が前記空気を通過させる換気経路となる。
【発明の効果】
【０００９】
このように構成された本発明の自動車のリヤパーセル構造は、前記リヤパーセルパネルの下面に補強部材が接合され、これによって形成される閉断面構造が前記空気を通過させる換気経路となる。
【００１０】
このため、換気経路を確保した上で、リヤパーセルパネルとリヤパーセルトリムの間隔を最小限に抑えて車両後部の車室内のスペースを広げることができる。
【発明を実施するための最良の形態】
【００１１】
以下、本発明の最良の実施の形態について図面を参照して説明する。
【００１２】
図１及び図２に示すように、自動車の車両後部には、リヤシート１を背面から支持するリヤシートバックパネル２が斜めに配設され、その後方には平坦部を形成するリヤパーセルパネル１０が配設されている。
【００１３】
そして、リヤシートバックパネル２とリヤパーセルパネル１０の接合部には、閉断面構造のパーセルメンバ１３が車幅方向に延設されている。このパーセルメンバ１３は、リヤシートバックパネル２とリヤパーセルパネル１０を突合せた角部の下面に断面Ｌ字型の長尺部材を固定することによって形成できる。
【００１４】
また、このリヤパーセルパネル１０の上方にはリヤパーセルトリム１１が取り付けられており、このリヤパーセルトリム１１にはリヤガラス８近傍に換気部としてのトリム側換気口１１ａやスピーカ７を取り付けるためのトリム側取付口１１ｂなどが設けられている。
【００１５】
さらに、このトリム側換気口１１ａは、リヤパーセルパネル１０に設けられたパネル側換気口１０ａに連通されており、トリム側取付口１１ｂもリヤパーセルパネル１０に設けられたスピーカ取付口１０ｂに連通されている。
【００１６】
そして、トリム側換気口１１ａから取り込まれた車室内の空気は、パネル側換気口１０ａを通ってリヤパーセルパネル１０の下面に設けられた換気経路に送られる。
【００１７】
この換気経路は、補強部材としての換気ダクト１２によって形成されており、この換気ダクト１２は、断面コ字型の経路部１２ａとその側壁上端縁に沿って設けられる平板状の取付部１２ｂ，１２ｂとによって逆ハット型断面に形成されている。
【００１８】
この換気ダクト１２は、リヤパーセルパネル１０の下面に取付部１２ｂ，１２ｂをスポット溶接することによって固定し、スポット溶接間はシーリングするなどして気密性を高めておく。
【００１９】
さらに、この換気ダクト１２は、リヤパーセルパネル１０後方の車幅方向縁部付近に設けられたパネル側換気口１０ａの下方に一端を有し、そこから車幅方向の中央に向けて延設されると共に、略直角の曲折部を経て車両前方に向けて延設されてパーセルメンバ１３に他端が接続される。
【００２０】
この閉断面構造のパーセルメンバ１３の内部には、二枚のバルクヘッド１３ａ，１３ａが間隔を開けて取り付けられて内空を遮断しており、このバルクヘッド１３ａ，１３ａ間が空気の通過する換気連絡路１３ｂとなる。
【００２１】
この換気連絡路１３ｂのバルクヘッド１３ａ，１３ａの近傍には、車両後方に向けて取込口１３ｃと連通口１３ｄがそれぞれ設けられ、取込口１３ｃには換気ダクト１２の端部が接続される。
【００２２】
そして、連通口１３ｄは、トランクルーム６と連通されており、換気ダクト１２から換気連絡路１３ｂに流れ込んだ空気は、連通口１３ｄからトランクルーム６に排出される。
【００２３】
次に、本実施の形態の自動車のリヤパーセル構造の作用について説明する。
【００２４】
このように構成された本発明のリヤパーセルパネル１０は、下面に換気ダクト１２が延設されており、この換気ダクト１２によってリヤパーセルパネル１０が補強されて面外剛性が増加している。このため、所定の面外剛性を確保するために設けられていたビードを削減したり、なくしたりすることができる。
【００２５】
また、この換気ダクト１２による補強によってリヤパーセルパネル１０の板厚を薄くしても所望する面外剛性を確保することができる場合は、リヤパーセルパネル１０の軽量化を図ることも可能になる。
【００２６】
このような補強効果は、換気ダクト１２に曲折部を設けて延長を長くし、リヤパーセルパネル１０の広い範囲に換気ダクト１２が配設されるようにした方が増加させることができる。
【００２７】
このようにしてリヤパーセルパネル１０の面外剛性が増加すると、発音量を低下させることができる上に車体のねじり剛性も向上させることが可能になる。
【００２８】
さらに、この換気ダクト１２は、リヤパーセルパネル１０の下面に設けられるため車室側に突出することがなく、図２に示すようにリヤパーセルパネル１０とリヤパーセルトリム１１の間隔を狭くすることができるので、車室側のスペースの使用量を削減して車室を広くすることができる。
【００２９】
また、本実施の形態のリヤパーセル構造では、換気ダクト１２と換気連絡路１３ｂによって形成される換気経路が車室内とトランクルーム６を連通させており、トランクルーム６を共鳴室、換気経路をスロート部としてヘルムホルツの共鳴器と等価な系が成立することとなる。
【００３０】
ここで、ヘルムホルツの共鳴器は、スロート部（換気経路）の長さが長いほど、またスロート部の断面積が小さいほど共鳴周波数が低下するので、本実施の形態の換気経路のように、小さい断面積で経路長を長くすれば、共鳴周波数を低下させてトランクルーム６で発生した騒音の特に低周波数成分が車室内へ侵入することを防ぐことができる。
【００３１】
また、共鳴室となるトランクルーム６を構成するリヤパーセルパネル１０等のパネルの振動によって放射される騒音は、面外剛性を増加させて発音量を低下させることで低減することができる。
【実施例】
【００３２】
以下、実施例では、前記実施の形態の自動車のリヤパーセル構造の防音効果を確認するためにおこなった試験について説明する。
【００３３】
この実施例では、換気経路をリヤパーセルパネルとリヤパーセルトリムとの間に設けた従来構造と、図１に示すような平面視コ字型に換気経路を延長した本発明の構造を使用して、リアサスペンション取付用のボルトを加振して騒音を発生させたときの車室内の音圧レベルを測定して防音効果の比較をおこなった。
【００３４】
この結果、従来構造ではトランクルーム６の共鳴周波数が32Hzであったのが、本発明の構造では16Hzに低下して、車室内の音圧分布を示した測定結果（図示せず）からも車室内の音圧レベルが低下していることが確認できた。
【００３５】
このように共鳴周波数が低下すると、全体的に音圧レベルの分布は周波数が小さい方向（図３の左方向）にずれて可聴周波数（20Hz〜20,000Hz）から外れるようになるため、静寂性を高めることが可能になる。
【００３６】
また、図３には、車室内の前席に座る乗員の耳の位置での音圧を測定した結果を、横軸を周波数（Hz）、縦軸を音圧レベル（dB)としたグラフで示した。ここで、実線Ｘは本発明の構造での測定結果を示し、破線Ｙは従来構造の測定結果を示したものである。
【００３７】
この図３から、30Hz〜100Hzの範囲の斜線で示した範囲で音圧レベルが低減できているといえる。この音圧レベルが低減される範囲は、こもり音領域に相当する範囲であるため、車室内の静寂性を高めることができたといえる。
【００３８】
以上、図面を参照して、本発明の最良の実施の形態を詳述してきたが、具体的な構成は、この実施の形態に限らず、本発明の要旨を逸脱しない程度の設計的変更は、本発明に含まれる。
【００３９】
例えば、前記実施の形態では、パーセルメンバ１３を換気経路として利用したが、これに限定されるものではなく、換気ダクト１２の端部から直接、トランクルーム６に空気を排出するように構成することもできる。
【００４０】
また、前記実施の形態では、断面コ字型の経路部１２ａを有する換気ダクト１２を補強部材として使用したが、これに限定されるものではなく、断面Ｌ字型の補強部材によって三角形状の閉断面を形成したり、断面半円型の補強部材によって半円形状の閉断面を形成したりして換気経路とすることができる。
【００４１】
さらに前記実施の形態では、換気ダクト１２に略直角の曲折部を一箇所設けたが、これに限定されるものではなく、斜めに延設したり、複数の曲折部を設けたりすることで所望する経路長を確保することができる。
【図面の簡単な説明】
【００４２】
【図１】本発明の自動車のリヤパーセル構造の全体の構成を説明する斜視図である。
【図２】車室内からトランクルームへの空気の流れを説明する図１のＡ−Ａ断面図である。
【図３】車室内で測定される音圧レベルの結果を周波数との関係で示した図である。
【符号の説明】
【００４３】
１            リヤシート
２            リヤシートバックパネル
６            トランクルーム
１０          リヤパーセルパネル
１１          リヤパーセルトリム
１１ａ        トリム側換気口（換気部）
１２          換気ダクト（補強部材）
１３          パーセルメンバ
１３ａ        バルクヘッド
１３ｂ        換気連絡路
１３ｃ        取込口
１３ｄ        連通口
【図１】
2006256402.tif 000003
【図２】
2006256402.tif 000004
【図３】
2006256402.tif 000005